【事件の表示】
　特願２００８−５５４１２８「ＱＯＳを保証するためのデータストリーム送受信方法及び装置」拒絶査定不服審判事件〔平成１９年　８月２３日国際公開、ＷＯ２００７／０９４５８０、平成２１年　７月２３日国内公表、特表２００９−５２７１４２〕について、次のとおり審決する。
【結　論】
　本件審判の請求は、成り立たない。
【理　由】
第１．手続の経緯
　本願は、２００７年（平成１９年）２月７日（パリ条約による優先権主張外国庁受理２００６年２月１４日、米国　２００６年３月２９日、韓国）を国際出願日とする出願であって、平成２３年１０月５日付で拒絶理由の通知がなされ、平成２４年１月１１日付で意見書・手続補正書が提出され、平成２４年２月２日付で拒絶理由の通知がなされ、平成２４年５月１４日付で意見書・手続補正書が提出され、平成２４年６月４日付で拒絶査定がなされたものである。
　
　本件は、上記拒絶査定を不服として平成２４年１０月１２日付で請求された拒絶査定不服審判であって、その審判請求と同時に手続補正書が提出され、当審において、前置報告書の内容について審判請求人の意見を求めるために、平成２５年２月７日付で審尋がなされ、平成２５年５月１３日付で回答書が提出されたものである。
　
第２．平成２４年１０月１２日付の手続補正についての補正却下の決定
　
［補正却下の決定の結論］
　
　平成２４年１０月１２日付の手続補正（以下、「本件補正」ともいう）を却下する。
　
［理由］
　
１．補正の内容
　
　平成２４年１０月１２日付の手続補正は、補正前の請求項１〜２９である、
　
「　【請求項１】
　（ａ）移動ノードが異種リンク間のハンドオーバーを施す時にリンク特性変化に関する情報を獲得するステップと、
　（ｂ）前記リンク特性変化に対応してデータストリームのＱＯＳ(Quality Of Service)を調整し、前記移動ノードに前記調整されたＱＯＳによって前記データストリームを伝送するステップと、を含むことを特徴とするデータストリームの伝送方法。
　　【請求項２】
　前記リンク特性変化に関する情報は、データ伝送率の変化、データのＢＥＲの変化、データのＳＮＲの変化、データ伝送遅延の変化またはデータジッタ量の変化のうちいずれか一つに関する情報を含むことを特徴とする請求項１に記載のデータストリームの伝送方法。
　　【請求項３】
　前記（ｂ）ステップは、前記ハンドオーバー以前に前記移動ノードが接続した第１リンクの特性に対応するＱＯＳによって前記データストリームを伝送し、前記ハンドオーバー以後に前記移動ノードが接続した第２リンクの特性に対応するＱＯＳによって前記データストリームを伝送することを特徴とする請求項２に記載のデータストリームの伝送方法。
　　【請求項４】
　前記リンク特性の変化に関する情報は、前記移動ノードのリンクにおけるデータ伝送率の変化に関する情報を含み、
　前記（ｂ）ステップは、前記移動ノードのリンクにおけるデータ伝送率の変化に対応して、前記データストリームの伝送率を調整し、前記調整された伝送率で前記データストリームを伝送することを特徴とする請求項１に記載のデータストリームの伝送方法。
　　【請求項５】
　前記（ａ）ステップは、前記移動ノードが接続中であるリンクの特性に関する情報を、前記ハンドオーバー以後に獲得することを特徴とする請求項１に記載のデータストリームの伝送方法。
　　【請求項６】
　前記（ａ）ステップは、前記移動ノードが接続すると予測されるリンクの特性に関する情報を、前記異種リンク間のハンドオーバー以前に獲得することを特徴とする請求項１に記載のデータストリームの伝送方法。
　　【請求項７】
　移動ノードが異種リンク間のハンドオーバーを施す時にリンク特性変化に関する情報を獲得するハンドオーバー機能階層と、
　前記リンク特性変化に対応してデータストリームのＱＯＳを調整し、前記移動ノードに前記調整されたＱＯＳによって前記データストリームを伝送する上位階層と、を備えることを特徴とするデータストリーム伝送装置。
　　【請求項８】
　前記ハンドオーバー機能階層は、前記異種リンクに接続するための異種リンクインターフェースの搭載されたリンク階層と前記上位階層との間の階層であることを特徴とする請求項７に記載のデータストリーム伝送装置。
　　【請求項９】
　前記ハンドオーバー機能階層は、
　前記移動ノードから前記リンク特性変化に該当するイベントの発生を検出し、前記イベントの発生を報告するイベントサービスモジュールと、
　前記情報を獲得する情報サービスモジュールと、を含み、
　前記上位階層は、前記報告を受信すれば、前記獲得された情報に基づいて、前記データストリームを伝送することを特徴とする請求項７に記載のデータ伝送装置。
　　【請求項１０】
　移動ノードが異種リンク間のハンドオーバーを施す時にリンク特性変化に関する情報を獲得するステップと、
　前記リンク特性変化に対応してデータストリームのＱＯＳを調整し、前記移動ノードに前記調整されたＱＯＳによって前記データストリームを伝送するステップと、を含むことを特徴とするデータストリームの伝送方法をコンピュータで実行させるためのプログラムを記録したコンピュータで読み取り可能な記録媒体。
　　【請求項１１】
　（ａ）移動ノードが異種リンク間のハンドオーバーを施す時に前記移動ノードのリンク特性変化に関する情報を提供するステップと、
　（ｂ）前記リンク特性変化に対応してデータストリームのＱＯＳを調整し、前記調整されたＱＯＳによって伝送されたデータストリームを受信するステップと、を含むことを特徴とするデータストリームの受信方法。
　　【請求項１２】
　前記リンク特性変化に関する情報は、データ伝送率の変化、データのＢＥＲの変化、データのＳＮＲの変化、データ伝送遅延の変化またはデータジッタ量の変化のうちいずれか一つに関する情報を含むことを特徴とする請求項１１に記載のデータストリームの受信方法。
　　【請求項１３】
　前記（ｂ）ステップは、前記ハンドオーバー以前に、前記移動ノードの接続した第１リンクの特性に対応するＱＯＳによって伝送されたデータストリームを受信し、前記ハンドオーバー以後に、前記移動ノードの接続した第２リンクの特性に対応するＱＯＳによって伝送されたデータストリームを受信することを特徴とする請求項１２に記載のデータストリームの受信方法。
　　【請求項１４】
　前記リンク特性変化に関する情報は、前記移動ノードのリンクにおけるデータ伝送率の変化に関する情報を含み、
　前記（ｂ）ステップは、前記移動ノードのリンクにおけるデータ伝送率の変化に対応して、調整された伝送率で伝送されたデータストリームを受信することを特徴とする請求項１１に記載のデータストリームの受信方法。
　　【請求項１５】
　前記（ａ）ステップは、前記移動ノードが接続中であるリンクの特性に関する情報を前記ハンドオーバー以後に提供することを特徴とする請求項１１に記載のデータストリームの受信方法。
　　【請求項１６】
　前記（ａ）ステップは、前記移動ノードが接続すると予測されるリンクの特性に関する情報を、前記異種リンク間のハンドオーバー以前に提供することを特徴とする請求項１１に記載のデータストリームの受信方法。
　　【請求項１７】
　移動ノードが異種リンク間のハンドオーバーを施す時にリンク特性変化に関する情報を提供するハンドオーバー機能階層と、
　前記移動ノードのリンク特性変化に対応するＱＯＳによって伝送されたデータストリームを受信する上位階層と、を備えることを特徴とするデータストリーム受信装置。
　　【請求項１８】
　前記ハンドオーバー機能階層は、前記異種リンクに接続するための異種リンクインターフェースの搭載されたリンク階層と前記上位階層との間の階層であることを特徴とする請求項１７に記載のデータストリーム受信装置。
　　【請求項１９】
　前記ハンドオーバー機能階層は、
　下位階層から前記リンク特性変化に該当するイベントの発生を検出し、前記イベントの発生を報告するイベントサービスモジュールと、
　前記情報を提供する情報サービスモジュールと、を含み、
　前記上位階層は、前記報告を受信したノードから前記データストリームを受信することを特徴とする請求項１７に記載のデータ受信装置。
　　【請求項２０】
　移動ノードが異種リンク間のハンドオーバーを施す時にリンク特性変化に関する情報を提供するステップと、
　前記移動ノードのリンク特性変化に対応するＱＯＳによって伝送されたデータストリームを受信するステップと、を含むことを特徴とするデータストリームの受信方法をコンピュータで実行させるためのプログラムを記録したコンピュータで読み取り可能な記録媒体。
　　【請求項２１】
　前記ハンドオーバー機能階層は、第２.５階層であって、前記移動ノードに連結されたリンクの媒体タイプに独立的に異種リンク間のハンドオーバーを支援することを特徴とする請求項８に記載のデータストリーム伝送装置。
　　【請求項２２】
　前記上位階層は、ＩＰ階層、モバイル階層、伝送階層、及びアプリケーション階層を備えることを特徴とする請求項７に記載のデータストリーム伝送装置。
　　【請求項２３】
　前記移動ノードのリンク特性変化に該当するイベントは、イベント識別子フィールド、イベントタイプフィールド、イベント名フィールド、及び説明フィールドを含むことを特徴とする請求項９に記載のデータ伝送装置。
　　【請求項２４】
　前記ハンドオーバー機能階層は、前記上位階層から入力されたコマンドによってリンク階層におけるハンドオーバーを制御するＭＩＣＳモジュールを含むことを特徴とする請求項９に記載のデータ伝送装置。
　　【請求項２５】
　前記情報サービスモジュールは、サーバから前記リンク特性変化に関する情報を獲得することを特徴とする請求項９に記載のデータ伝送装置。
　　【請求項２６】
　異種リンク間のハンドオーバーを行う下位階層と、
　前記異種リンク間の移動ノードのハンドオーバーを支援し、前記移動ノードが前記異種リンク間のハンドオーバーを施す時にリンク特性変化に関する情報を獲得するハンドオーバー機能階層と、
　前記リンク特性変化に対応してデータストリームのＱＯＳを調整し、前記移動ノードに前記調整されたＱＯＳによって前記データストリームを伝送する上位階層と、を備えることを特徴とするデータストリーム伝送装置。
　　【請求項２７】
　前記下位階層は、リンク階層及び物理的階層を備えることを特徴とする請求項２６に記載のデータストリーム伝送装置。
　　【請求項２８】
　前記上位階層は、ＩＰ階層、モバイル階層、伝送階層、及びアプリケーション階層を備えることを特徴とする請求項２６に記載のデータストリーム伝送装置。
　　【請求項２９】
　前記ハンドオーバー機能階層は、第２.５階層を備えることを特徴とする請求項２６に記載のデータストリーム伝送装置。」
　
を、
　
「　【請求項１】
　（ａ）移動ノードが異種リンク間のハンドオーバー以前に接続することと予測されるリンクの特性に関する情報を獲得するステップと、
　（ｂ）前記接続することと予測されるリンクの特性に対応してデータストリームのＱＯＳ(Quality　Of　Service)を調整し、前記移動ノードに前記調整されたＱＯＳによって前記データストリームを伝送するステップと、を含むことを特徴とするデータストリームの伝送方法。
　　【請求項２】
　前記リンク特性に関する情報は、接続することと予測されるリンクのデータ伝送率、データのＢＥＲ、データのＳＮＲ、データ伝送遅延またはデータジッタ量のうちいずれか一つに関する情報を含むことを特徴とする請求項１に記載のデータストリームの伝送方法。
　　【請求項３】
　前記（ｂ）ステップは、前記ハンドオーバー以前に前記移動ノードが接続した第１リンクの特性に対応するＱＯＳによって前記データストリームを伝送し、前記ハンドオーバー以後に前記移動ノードが接続した第２リンクの特性に対応するＱＯＳによって前記データストリームを伝送することを特徴とする請求項２に記載のデータストリームの伝送方法。
　　【請求項４】
　移動ノードが異種リンク間のハンドオーバー以前に接続することと予測されるリンクの特性に関する情報を獲得するハンドオーバー機能階層と、
　前記接続することと予測されるリンクのリンク特性に対応してデータストリームのＱＯＳを調整し、前記移動ノードに前記調整されたＱＯＳによって前記データストリームを伝送する上位階層と、を備えることを特徴とするデータストリーム伝送装置。
　　【請求項５】
　前記ハンドオーバー機能階層は、前記異種リンクに接続するための異種リンクインターフェースの搭載されたリンク階層と前記上位階層との間の階層であることを特徴とする請求項４に記載のデータストリーム伝送装置。
　　【請求項６】
　移動ノードが異種リンク間のハンドオーバー以前に接続することと予測されるリンクの特性に関する情報を獲得するステップと、
　前記接続することと予測されるリンクのリンク特性に対応してデータストリームのＱＯＳを調整し、前記移動ノードに前記調整されたＱＯＳによって前記データストリームを伝送するステップと、を含むことを特徴とするデータストリームの伝送方法をコンピュータで実行させるためのプログラムを記録したコンピュータで読み取り可能な記録媒体。
　　【請求項７】
　（ａ）移動ノードが異種リンク間のハンドオーバー以前に接続することと予測されるリンクの特性に関する情報を提供するステップと、
　（ｂ）接続することと予測されるリンクのリンク特性に対応してデータストリームのＱＯＳを調整し、前記調整されたＱＯＳによって伝送されたデータストリームを受信するステップと、を含むことを特徴とするデータストリームの受信方法。
　　【請求項８】
　前記接続することと予測されるリンクのリンク特性に関する情報は、データ伝送率、データのＢＥＲ、データのＳＮＲ、データ伝送遅延またはデータジッタ量のうちいずれか一つに関する情報を含むことを特徴とする請求項１１に記載のデータストリームの受信方法。
　　【請求項９】
　前記（ｂ）ステップは、前記ハンドオーバー以前に、前記移動ノードの接続した第１リンクの特性に対応するＱＯＳによって伝送されたデータストリームを受信し、前記ハンドオーバー以後に、前記移動ノードの接続した第２リンクの特性に対応するＱＯＳによって伝送されたデータストリームを受信することを特徴とする請求項７に記載のデータストリームの受信方法。
　　【請求項１０】
　前記接続することと予測されるリンクのリンク特性に関する情報は、前記移動ノードのリンクにおけるデータ伝送率に関する情報を含み、
　前記（ｂ）ステップは、前記移動ノードの接続することと予測されるリンクにおけるデータ伝送率に対応して、調整された伝送率で伝送されたデータストリームを受信することを特徴とする請求項７に記載のデータストリームの受信方法。
　　【請求項１１】
　移動ノードが異種リンク間のハンドオーバー以前に接続することと予測されるリンクの特性に関する情報を提供するハンドオーバー機能階層と、
　前記接続することと予測されるリンクのリンク特性に対応するＱＯＳによって伝送されたデータストリームを受信する上位階層と、を備えることを特徴とするデータストリーム受信装置。
　　【請求項１２】
　前記ハンドオーバー機能階層は、前記異種リンクに接続するための異種リンクインターフェースの搭載されたリンク階層と前記上位階層との間の階層であることを特徴とする請求項１１に記載のデータストリーム受信装置。
　　【請求項１３】
　移動ノードが異種リンク間のハンドオーバー以前に接続することと予測されるリンクの特性に関する情報を提供するステップと、
　前記接続することと予測されるリンクの特性に対応するＱＯＳによって伝送されたデータストリームを受信するステップと、を含むことを特徴とするデータストリームの受信方法をコンピュータで実行させるためのプログラムを記録したコンピュータで読み取り可能な記録媒体。
　　【請求項１４】
　前記ハンドオーバー機能階層は、第２.５階層であって、前記移動ノードに連結されたリンクの媒体タイプに独立的に異種リンク間のハンドオーバーを支援することを特徴とする請求項５に記載のデータストリーム伝送装置。
　　【請求項１５】
　前記上位階層は、ＩＰ階層、モバイル階層、伝送階層、及びアプリケーション階層を備えることを特徴とする請求項４に記載のデータストリーム伝送装置。
　　【請求項１６】
　前記移動ノードのリンク特性変化に該当するイベントは、イベント識別子フィールド、イベントタイプフィールド、イベント名フィールド、及び説明フィールドを含むことを特徴とする請求項４に記載のデータ伝送装置。
　　【請求項１７】
　前記ハンドオーバー機能階層は、前記上位階層から入力されたコマンドによってリンク階層におけるハンドオーバーを制御するＭＩＣＳモジュールを含むことを特徴とする請求項４に記載のデータ伝送装置。
　　【請求項１８】
　前記情報サービスモジュールは、サーバから前記リンク特性変化に関する情報を獲得することを特徴とする請求項４に記載のデータ伝送装置。
　　【請求項１９】
　異種リンク間のハンドオーバーを行う下位階層と、
　前記異種リンク間の移動ノードのハンドオーバーを支援し、前記移動ノードが前記異種リンク間のハンドオーバー以前に接続することと予測されるリンクの特性に関する情報を獲得するハンドオーバー機能階層と、
　前記接続することと予測されるリンクの特性に対応してデータストリームのＱＯＳを調整し、前記移動ノードに前記調整されたＱＯＳによって前記データストリームを伝送する上位階層と、を備えることを特徴とするデータストリーム伝送装置。
　　【請求項２０】
　前記下位階層は、リンク階層及び物理的階層を備えることを特徴とする請求項１９に記載のデータストリーム伝送装置。
　　【請求項２１】
　前記上位階層は、ＩＰ階層、モバイル階層、伝送階層、及びアプリケーション階層を備えることを特徴とする請求項１９に記載のデータストリーム伝送装置。
　　【請求項２２】
　前記ハンドオーバー機能階層は、第２.５階層を備えることを特徴とする請求項１９に記載のデータストリーム伝送装置。」
　
と補正するものである。
　
　上記補正前後の構成を対比すると、以下のように補正しようとするものである。
　補正前の請求項１の、「移動ノードが異種リンク間のハンドオーバーを施す時に」を、「移動ノードが異種リンク間のハンドオーバー以前に」、「リンク特性変化に関する情報を獲得」を、「接続することと予測されるリンクの特性に関する情報を獲得」、「前記リンク特性変化に対応して」を、「前記接続することと予測されるリンクの特性に対応して」とする。
　補正前の請求項２の、「前記リンク特性変化に関する情報は、データ伝送率の変化、データのＢＥＲの変化、データのＳＮＲの変化、データ伝送遅延の変化またはデータジッタ量の変化のうちいずれか一つに関する情報」を、「前記リンク特性に関する情報は、接続することと予測されるリンクのデータ伝送率、データのＢＥＲ、データのＳＮＲ、データ伝送遅延またはデータジッタ量のうちいずれか一つに関する情報」とする。
　補正前の請求項４〜６を削除する。
　補正前の請求項７を補正後の請求項４とし、「移動ノードが異種リンク間のハンドオーバーを施す時に」を、「移動ノードが異種リンク間のハンドオーバー以前に」、「リンク特性変化に関する情報を獲得」を、「接続することと予測されるリンクの特性に関する情報を獲得」、「前記リンク特性変化に対応して」を、「前記接続することと予測されるリンクのリンク特性に対応して」とする。
　補正前の請求項８を補正後の請求項５とする。
　補正前の請求項９を削除する。
　補正前の請求項１０を補正後の請求項６とし、「移動ノードが異種リンク間のハンドオーバーを施す時に」を、「移動ノードが異種リンク間のハンドオーバー以前に」、「リンク特性変化に関する情報を獲得」を、「接続することと予測されるリンクの特性に関する情報を獲得」、「前記リンク特性変化に対応して」を、「前記接続することと予測されるリンクのリンク特性に対応して」とする。
　補正前の請求項１１を補正後の請求項７とし、「移動ノードが異種リンク間のハンドオーバーを施す時に」を、「移動ノードが異種リンク間のハンドオーバー以前に」、「前記移動ノードのリンク特性変化に関する情報を提供」を、「接続することと予測されるリンクの特性に関する情報を提供」、「前記リンク特性変化に対応して」を、「接続することと予測されるリンクのリンク特性に対応して」とする。
　補正前の請求項１２を補正後の請求項８とし、「前記リンク特性変化に関する情報は、データ伝送率の変化、データのＢＥＲの変化、データのＳＮＲの変化、データ伝送遅延の変化またはデータジッタ量の変化のうちいずれか一つに関する情報」を、「前記接続することと予測されるリンクのリンク特性に関する情報は、データ伝送率、データのＢＥＲ、データのＳＮＲ、データ伝送遅延またはデータジッタ量のうちいずれか一つに関する情報」とする。
　補正前の請求項１３を補正後の請求項９とする。
　補正前の請求項１４を補正後の請求項１０とし、「前記リンク特性変化に関する情報は、前記移動ノードのリンクにおけるデータ伝送率の変化に関する情報」を、「前記接続することと予測されるリンクのリンク特性に関する情報は、前記移動ノードのリンクにおけるデータ伝送率に関する情報」とし、「前記移動ノードのリンクにおけるデータ伝送率の変化に対応して」を、「前記移動ノードの接続することと予測されるリンクにおけるデータ伝送率に対応して」とする。
　補正前の請求項１５〜１６を削除する。
　補正前の請求項１７を補正後の請求項１１とし、「移動ノードが異種リンク間のハンドオーバーを施す時に」を、「移動ノードが異種リンク間のハンドオーバー以前に」、「リンク特性変化に関する情報を提供」を、「接続することと予測されるリンクの特性に関する情報を提供」、「前記移動ノードのリンク特性変化に対応」を、「前記接続することと予測されるリンクのリンク特性に対応」とする。
　補正前の請求項１８を補正後の請求項１２とする。
　補正前の請求項１９を削除する。
　補正前の請求項２０を補正後の請求項１３とし、「移動ノードが異種リンク間のハンドオーバーを施す時に」を、「移動ノードが異種リンク間のハンドオーバー以前に」、「リンク特性変化に関する情報を提供」を、「接続することと予測されるリンクの特性に関する情報を提供」、「前記移動ノードのリンク特性変化に対応」を、「前記接続することと予測されるリンクのリンク特性に対応」とする。
　補正前の請求項２１〜２５を補正後の請求項１４〜１８とする。
　補正前の請求項２６を補正後の請求項１９とし、「前記移動ノードが前記異種リンク間のハンドオーバーを施す時に」を、「前記移動ノードが前記異種リンク間のハンドオーバー以前に」、「リンク特性変化に関する情報を獲得」を、「接続することと予測されるリンクの特性に関する情報を獲得」、「前記リンク特性変化に対応」を、「前記接続することと予測されるリンクの特性に対応」とする。
　補正前の請求項２７〜２９を補正後の請求項２０〜２２とする。
　請求項の削除に伴い、引用請求項を補正後の対応する請求項にする。
　
２．補正の適否
　
　請求項１に関する補正について検討する。
　
　補正前は、情報を獲得する時点について、「移動ノードが異種リンク間のハンドオーバーを施す時」と特定しているところ、補正後にあっては、「移動ノードが異種リンク間のハンドオーバー以前」と特定している。ここで、「ハンドオーバーを施す時」では、ハンドオーバー以前とハンドオーバー以後を包含するものであるから、特許請求の範囲の限定的減縮に対応する。
　
　補正前は、獲得する情報について、「リンク特性変化に関する情報を獲得」と特定しているところ、補正後にあっては、「接続することと予測されるリンクの特性に関する情報を獲得」と特定し、補正前は、データストリームのＱＯＳを調整する際に、「リンク特性変化に対応」と特定しているところ、補正後にあっては、「接続することと予測されるリンクの特性に対応」と特定している。
　
　この補正に関して、本願明細書の段落【００２３】〜【００２５】には、以下のように記載されている。
　
「【００２３】
　ＭＩＩＳモジュール４２２は、次のように２つの方式で移動ノード１のリンク特性変化に関する情報を獲得する。第一の方式によれば、ＭＩＩＳモジュール４２２は、情報サーバ５,６から移動ノード１が接続中であるリンクの特性に関する情報を移動ノード１によるハンドオーバー以後に獲得する。この方式の場合、ＭＩＩＳモジュール４２２によって獲得される情報は、移動ノード１によって実際に測定された情報であるため、信頼度が高いという長所がある。しかし、対応ノード４が移動ノード１のハンドオーバー以後に情報を獲得するため、移動ノード１のハンドオーバー以後にも、ある程度の期間は、移動ノード１のハンドオーバーに対処できないという短所がある。
　【００２４】
　第一の方式の場合、ＭＩＩＳモジュール４２２は、ＭＩＥＳモジュール４２１によって移動ノード１による異種リンク間のハンドオーバーによる移動ノード１のリンク特性変化に該当するイベントの発生が検出されれば、情報サーバ５,６に移動ノード１による異種リンク間のハンドオーバーによる移動ノード１のリンク特性変化に関する情報を要請し、この要請に対する応答から前記情報を獲得する。すなわち、ＭＩＩＳモジュール４２２は、情報サーバ５,６または移動ノード１に、図５に示されたＭＩＨ情報要請メッセージを伝送することによって、情報サーバ５,６または移動ノード１に移動ノード１による異種リンク間のハンドオーバーによる移動ノード１のリンク特性変化に関する情報を要請する。また、ＭＩＩＳモジュール４２２は、情報サーバ５,６から図６に示されたＭＩＨ情報応答メッセージを受信することによって、この要請に対する応答を受信する。
　【００２５】
　第二の方式によれば、ＭＩＩＳモジュール４２２は、情報サーバ５,６から移動ノード１が接続すると予測されるリンクの特性に関する情報を、移動ノード１による異種リンク間のハンドオーバー以前に獲得する。この方式の場合、対応ノード４が移動ノード１のハンドオーバー以前に情報を獲得するために、移動ノード１のハンドオーバーに速かに対処できるという長所がある。しかし、ＭＩＩＳモジュール４２２によって獲得される情報は、移動ノード１によって実際に測定された情報ではないため、信頼度が低いという短所がある。移動ノード１が次に接続するリンクをどのように予測するかについては、従来の技術によるとし、本実施形態についての説明では省略する。第二の方式の場合、ＭＩＩＳモジュール４２２は、移動ノード１の要請とは関係なく、移動ノード１のハンドオーバー以前に、すなわち、前記イベントの発生検出以前に情報サーバ５,６から移動ノード１が接続すると予測されるリンクの特性に関する情報を獲得する。」
　
　すなわち、リンク特性変化に関する情報を獲得する方式として、第一の方式では、移動ノード１が接続中であるリンクの特性に関する情報を移動ノード１によるハンドオーバー以後に獲得するものであり、第二の方式では、移動ノード１が接続すると予測されるリンクの特性に関する情報を獲得するものである。そうすると、リンク特性変化に関する情報とは、ハンドオーバー以後の時点での接続中であるリンクの特性に関する情報と、ハンドオーバー以前での接続すると予測されるリンクの特性に関する情報を含むものである。
　したがって、「リンク特性変化に関する情報を獲得する」ことから、「接続することと予測されるリンクの特性に関する情報を獲得する」こと、「リンク特性変化に対応」することから、「接続することと予測されるリンクの特性に対応」することに補正するということは、上位概念である「リンク特性変化」を、リンク特性変化の下位概念である「接続することと予測されるリンクの特性」に補正することであるから、この補正は、特許請求の範囲の限定的減縮に対応する。
　
　請求項２〜２２についても、請求項１の補正と同様に、特許請求の範囲の限定的減縮に対応、もしくは、請求項の削除に対応する。
　
　したがって、本件補正は、平成１８年法律第５５号改正附則第３条第１項によりなお従前の例によるとされる同法による改正前の特許法第１７条の２第４項第２号に規定された特許請求の範囲の減縮を目的、もしくは、改正前の特許法第１７条の２第４項第１号に規定された請求項の削除を目的とするものである。
　
　そこで、特許請求の範囲の減縮を目的とする補正後の請求項１に係る発明（以下、「本願補正発明」という。」）が、特許出願の際独立して特許を受けることができるものであるか否か（平成１８年法律第５５号改正附則第３条第１項によりなお従前の例によるとされる同法による改正前の特許法第１７条の２第５項において準用する同法第１２６条第５項の規定に違反するか否か）について以下に検討する。
　
（１）本願補正発明
　本願補正発明は、以下のとおりである。
「【請求項１】
　（ａ）移動ノードが異種リンク間のハンドオーバー以前に接続することと予測されるリンクの特性に関する情報を獲得するステップと、
　（ｂ）前記接続することと予測されるリンクの特性に対応してデータストリームのＱＯＳ(Quality　Of　Service)を調整し、前記移動ノードに前記調整されたＱＯＳによって前記データストリームを伝送するステップと、を含むことを特徴とするデータストリームの伝送方法。」
　
（２）刊行物の記載事項
　これに対して、原査定の拒絶の理由で引用された本願の出願の日前に頒布された刊行物である国際公開第２００５／８６４２２号（以下、「引用例１」という。）には、図面とともに、以下の事項が記載されている。
　翻訳文については、引用例１の国際出願を日本に出願した特許出願の内容を公開した特表２００７−５２８１７６号公報の記載を参考に、当審で付したものである。
　
「The Quality of Service of the established connections are monitored by the mobile host and by the counter partying access network entities, and the information is made available in the mobile host for connection setup, release and reconfiguration decisions for the network transition from source network to the target network, from both the measurements in the mobile host and from the measurements in the counter partying access network entity. The Quality of Service is measured locally by the mobile host and by the counter partying access network entities, and the end- to-end Quality of Service is measured by the user applications. It is the local Quality of Service measurements that are used in the decisions to perform connection reconfigurations within the heterogeneous network during traffic. The end-to-end Quality of Service observations are up to the applications to act upon.」（第１３頁第１０行〜第２５行）
「確立された接続のサービスの質は移動ホストおよび相手方のアクセスネットワークエンティティによって監視され、移動ホストにおける測定、および相手方のアクセスネットワークエンティティにおける測定の両方からの情報は、接続の設定、解放、およびソースネットワークからターゲットネットワークへのネットワーク遷移のための再構成決定のために、移動ホストで利用可能である。サービスの質は局所的に移動ホストによって、かつ相手方アクセスネットワークエンティティによって測定され、エンドツーエンドのサービスの質はユーザアプリケーションによって測定される。トラヒック中に異種ネットワーク内で接続の再構成を実行する決定に使用されるのは、局所的サービスの質の測定である。エンドツーエンドのサービスの質の観察結果は、影響を受けるアプリケーション次第である。」（段落【００２１】）
　
「The Quality of Service is measured as data throughput, delay, jitter, packet error rates and packet loss rates. The Quality of Service requirements for the connections are a subset of these, added with the service priority class of the connection.」（第１３頁第２６行〜第３１行）
「サービスの質はデータスループット、遅延、ジッタ、パケット誤り率、およびパケット損失率として測定される。接続に対するサービスの質要件はこれらの部分集合であり、接続のサービス優先度クラスが追加される。」（段落【００２２】）
　
「FIG. 10 is a message sequence chart of an example of signaling between the Mobile Host Unit Y 5 and the IEEE 802. llx WLAN access point 54 supporting the IEEE 802. lie QoS mechanism principles. The details of how the QoS mechanisms are supported in other access network techniques (like for example 802.16, 802.20, 802.15 UWB and UMTS PS RABs) can be varying, but the basic principles used in this example can be used also in the other access network technologies. The Mobile Host unit Y 5, which in this 802. lie enabled WLAN access network contains a quality of service enabled station QSTA, and is authenticated in the 802.11 access network inquestion and is associated with the access point 54, sends a 802.11 MAC Management Action message ADDTS QoS Action Request 55 containing QoS request information in the form of Traffic Stream parameters to the 802. lie quality of service enabled (QAP) access point 54, and the access network performs a process 56 where the user is authorized and the contents of the QoS request being analyzed with help from the admission control as known by persons familiar with the field. Then the QAP access point 54 responds with a 802.11 MAC Management Action message ADDTS QoS Action Response 57 with supported available QoS offerings information to the Mobile Host Unit Y 5, which can respond with a new ADDTS sequence 58 containing the required QoS allocation information if in the response ADDTS QoS Action Response 57 result code suggested changes in the creation of the requested traffic stream. After the Traffic Stream has been successfully established, then a procedure 59 is executed, in which the connections are established, QoS control and measurement information negotiated between the Mobile Host Unit Y 5 and access point 54. As an example of using parameterized QoS services as supported in 802. lie, here is explained the behaviour of the system during the operation of the actual session, in which the access point performs controlled channel access (HCCA) negotiations 64, which consist of the items 60-63. The message 60 is a CAP QoS (+) CF-poll containing the results of the QoS measurements done at the AP 54 side, the results of which the Mobile Host Unit Y 5 store in the procedure 61 into the control and measurement database 10, then message 62 is QoS (+) CF-ACK with QoS measurement results from the Mobile Host Unit Y 5, which then the AP 54 processes in 63. A person familiar on the field is aware that 802. lie also has support to other QoS mechanisms, such as distributed channel access (EDCA) , which are not explained here in this example.」（第２１頁第２６行〜第２３頁第６行）
「図１０は、移動ホストユニットＹ５と、ＩＥＥＥ８０２．１１ｅ  ＱｏＳメカニズム原理をサポートするＩＥＥＥ８０２．１１ｘＷＬＡＮアクセスポイント５４との間のシグナリングの一例のメッセージシーケンスチャートである。ＱｏＳメカニズムが（例えば８０２．１６、８０２．２０、８０２．１５  ＵＷＢおよびＵＭＴＳ  ＰＳ  ＲＡＢのような）他のアクセスネットワーク技術でどのようにサポートされるかの詳細は変化し得るが、この例で使用される基本原理は他のアクセスネットワーク技術でも使用することができる。この８０２．１１ｅイネーブルドＷＬＡＮアクセスネットワークにおいて、サービスの質イネーブルドステーションＱＳＴＡを含み、問題の８０２．１１アクセスネットワークで認証され、アクセスポイント５４に関連付けられた移動ホストユニットＹ５は、トラヒックストリームパラメータの形のＱｏＳ要求情報を含む８０２．１１ＭＡＣ管理行動メッセージＡＤＤＴＳ  ＱｏＳ行動要求５５を８０２．１１ｅサービスの質イネーブルド（ＱＡＰ）アクセスポイント５４に送信し、アクセスネットワークはプロセス５６を実行し、そこでユーザは許可され、ＱｏＳ要求の内容が、当業者には周知の通り、アドミッション制御からの支援を得て解析される。次いでＱＡＰアクセスポイント５４は、８０２．１１  ＭＡＣ管理行動メッセージＡＤＤＴＳ  ＱｏＳ行動応答５７をサポートされる利用可能なＱｏＳオファリング情報と共に移動ホストユニットＹ５に送り返し、応答ＡＤＤＴＳ  ＱｏＳ行動応答５７において結果コードが要求されたトラヒックストリームの作成の変化を示唆している場合、該ユニットＹ５は要求されたＱｏＳ割当情報を含む新しいＡＤＤＴＳシーケンス５８を送り返すことができる。トラヒックストリームが正常に確立された後、次いで手順５９が実行され、そこで接続が確立され、ＱｏＳ制御および管理情報が移動ホストユニットＹ５とアクセスポイント５４との間で交渉される。８０２．１１ｅでサポートされる通りパラメータ化されたＱｏＳサービスを使用する例として、ここでは、アクセスポイントが項目６０〜６３から構成される被制御チャネルアクセス（ＨＣＣＡ）交渉６４を実行する、実際のセッションの動作中のシステムの挙動を説明する。メッセージ６０は、ＡＰ５４側で行なわれたＱｏＳ測定の結果を含むＣＡＰ  ＱｏＳ（＋）ＣＦポーリングであり、その結果を移動ホストユニットＹ５は手順６１で制御および測定データベース１０に格納する。次いでメッセージ６２は、移動ホストユニットＹ５からのＱｏＳ測定結果を伴うＱｏＳ（＋）ＣＦ−ＡＣＫであり、次いでそれをＡＰ５４は６３で処理する。当業者は、８０２．１１ｅが、ここでこの例で説明しない分散チャネルアクセス（ＥＤＣＡ）のような他のＱｏＳメカニズムをもサポートすることを知っている。」（段落【００３６】）
　
「FIG. 12 shows the architectural structure of the control and measurement database in the mobile host; in this particular example the items 75-82 represent different access network technologies. The arrow 83 indicates different overlapping networks; this means that in some technologies it could be possible to access several different access networks simultaneously if so desired, if the capabilities of the mobile host are allowing that approach, or alternatively to select one of them. The different networks in question could be for example operated by different network operators. As an example the access network technologies could be the following: 75 GSM circuit switched voice, 76 GSM circuit switched data, 77 GPRS/EDGE, 78 3G WCDMA (UMTS), 79 IEEE 802.11a,b,g or n, 80 IEEE 802.16, 81 IEEE 802.20 and 82 IEEE UWB or wired access. The item 84 shows in more detail one instance of a database record showing the internal structure of the data stored per access network. The record 84 has internal structure of four elements, 85-88, each of which are in this example configuration storing the data per the QoS priority classes. So 85 is the data stored per highest QoS priority class, 86 for the higher QoS priority class, 87 for the medium QoS priority class and 88 for the lower QoS priority class. The current invention is not limiting the number of QoS priority classes, it is a commonly used practice to have 4 different priority classes and that is why four classes are used here also. Each of the elements 85-88 store at least the following information: Initial QoS parameter values, Measured QoS parameter values for both AP and mobile host, Threshold QoS parameter values, Limit QoS parameter values, Credits value, operator specific credits factor and the user identity used within the particular access network domain. The minimum set of QoS parameters consist of data throughput, delay and jitter values. The data throughput shows the amount of data transmitted over the connection in a certain period of time, the delay value shows the amount of time the data packets are in average stored in the sending buffers of the access technology implementations (for example in layer 2 buffers) before they are actually scheduled for transmission and transmitted successfully, the jitter values show then statistical variance of the delay values respectively. In short the above listed QoS parameter values are handled in the following way: The initial QoS parameter values store the SLA (service level agreement) based QoS information of the specific network, this data can for example be fetched from the AAA node at the initial setup of the network connections in this particular access network, or stored manually by the end user. The measured QoS values are obtained as described in the example in FIG. 10 and in FIG. 11. The meaning of the threshold QoS values are to serve as a checkpoint indicating whether the credits value of this particular connection are counted upwards or downwards . The limit QoS values indicate the measured QoS situation where the credits of the connection are immediately set to zero and connection re-routing is force started. The credits value is an artificial number showing how well the access network is fulfilling the QoS requirements, as mentioned above. If the QoS measurements are above the QoS threshold values, the credits are counted upwards, otherwise they are counted downwards. Also the counting speeds are different in each direction, enabling fast recovery in case of possible problems in the connection. The operator specific credits factor is used to enable the end user to have a means to create personalized preferences of the networks, for example due to different charging policies or other reasons. The utilization of the credits values at the operation is the following: At connection establishment the mobile host scans the available networks, multiplies the credits values with the operator specific credits factors and the one having the highest result is the primary access network candidate for further connection establishment as described in FIG. 8. During operation if the credits value multiplied with the fall below a certain threshold, the connection re-routing is initiated as described in FIG. 13, and if the values are below the limit values the connection is immediately released and possible connection rerouting is initiated, whereas in the previous case a new connection is established first and the old one is released after the new connection has taken over the traffic.」（第２３頁第２９行〜第２６頁第１１行）
「図１２は、移動ホスト内の制御および測定データベースのアーキテクチャ構造を示す。この特定の例で、項目７５〜８２は異なるアクセスネットワーク技術を表わす。矢印８３は様々な重複ネットワークを示す。これは、技術によっては、希望するならば、移動ホストの能力がそのような手法を許す場合、幾つかの異なるアクセスネットワークに同時にアクセスすること、または代替的にそれらの一つを選択することが可能であることを意味する。問題の異なるネットワークは例えば、異なるネットワーク運用者によって運用されることもあり得る。一例として、アクセスネットワーク技術は、７５ＧＳＭ回線交換音声、７６ＧＳＭ回線交換データ、７７ＧＰＲＳ／ＥＤＧＥ、７８  ３Ｇ  ＷＣＤＭＡ（ＵＭＴＳ）、７９  ＩＥＥＥ８０２．１１ａ、ｂ、ｇまたはｎ、８０  ＩＥＥＥ８０２．１６、８１  ＩＥＥＥ８０２．２０、および８２  ＩＥＥＥ  ＵＷＢまたは有線アクセスとすることができる。項目８４はデータベースレコードの一例をさらに詳しく示し、アクセスネットワーク毎に格納されたデータの内部構造を示す。レコード８４は四つの要素８５〜８８から成る内部構造を有し、各要素が、この例では、ＱｏＳ優先度クラス毎にデータを格納する構成である。したがって８５は最高のＱｏＳ優先度クラスで格納されたデータであり、８６は高いＱｏＳ優先度クラスであり、８７は中程度のＱｏＳ優先度クラスであり、８８は低いＱｏＳ優先度クラスである。本発明はＱｏＳ優先度クラスの個数を限定しないが、４種類の優先度クラスを持つことが一般的に使用される慣行であり、ここでも四つのクラスを使用するのは、そのためである。要素８５〜８８の各々は、少なくとも次の情報、すなわち初期ＱｏＳパラメータ値、ＡＰおよび移動ホスト両方の測定ＱｏＳパラメータ値、閾ＱｏＳパラメータ値、限界ＱｏＳパラメータ値、クレジット値、運用者特定的クレジット率、および特定のアクセスネットワークドメイン内で使用されるユーザアイデンティティを格納する。ＱｏＳパラメータの最小限の組は、データスループット、遅延、およびジッタ値から構成される。データスループットは特定の期間内に接続を介して伝送されるデータの量を示し、遅延値は、データパケットが実際に送信をスケジュールされ正常に送信されるまで、アクセス技術実現の送信バッファ（例えば層２バッファ）に平均的に格納される時間の量を示し、ジッタ値は、遅延値の夫々のそのときの統計的分散を示す。要するに、上にリストしたＱｏＳパラメータ値は次のように取り扱われる。初期ＱｏＳパラメータ値は、特定のネットワークのＳＬＡ（サービスレベル契約）に基づくＱｏＳ情報を格納し、このデータは例えば、この特定のアクセスネットワークにおけるネットワーク接続の初期設定時にＡＡＡノードから取り出すか、あるいはエンドユーザが手動で格納することができる。測定ＱｏＳ値は、図１０および図１１の例で記述したように得られる。ＱｏＳ閾値の意味は、この特定の接続のクレジット値を上方または下方のどちらに計数すべきかを示すチェックポイントとして役立つことである。ＱｏＳ限界値は、接続のクレジットが即座に零に設定され、接続の再ルーティングが強制的に開始される、測定されたＱｏＳの状況を示す���クレジット値は、アクセスネットワークが上述の通りＱｏＳ要件をいかによく満たしているかを示す人工的な数字である。ＱｏＳ測定値がＱｏＳ閾値より上である場合、クレジットは上方に計数され、それ以外の場合、下方に計数される。また、計数速度は各方向に異なり、接続に起こり得る問題に備えて、高速回復を可能にする。エンドユーザが例えば異なる料金規定または他の理由から、ネットワークの個人化された選好を形成する手段を持つことができるように、運用者特定的なクレジット率が使用される。運用におけるクレジット値の利用法は次の通りである。接続の確立時に、移動ホストは利用可能なネットワークをスキャンし、クレジット値に運用者特定的なクレジット率を乗算し、最高結果を有するものが、図８に示すようにその後の接続確立の第一のアクセスネットワーク候補になる。動作中にクレジット値の乗算結果が特定の閾値より下に降下すると、図１３に示すように接続再ルーティングが開始され、値が限界値より低ければ、接続は即座に解放され、可能な接続再ルーティングが開始されるが、前の例の場合、新しい接続が最初に確立され、新しい接続がトラヒックを引き継いだ後で、古い接続が解放される。」（段落【００３８】）
　
「FIG. 13 is a message sequence chart showing an overview of the situation where an existing connection over one access network is reconfigured due to decreased quality of service into another access network. The sequence starts in a situation where the media session 30 in question is established between the external network 3 and the mobile host 1 over the access point 54 in the first access network. The QoS measurements done during the service of the connection indicate in 89 that the credits of the connection multiplied with the operator specific credits factor have fallen below a threshold value, and connection re-routing activities are invoked. The mobile host 1 requests from the network node 2 with a message 45 for authorization information of the best credit values owning available access network, being called hereon as the second access network, and then the network node 2 responds with 46 message containing the QoS contract values of the second access network, and authorization information for the second access network, the mobile host sends a message 55 containing authorization information for the second access network and QoS request information to the access point 54 in the second access network, and the second access network performs a process 56 where the user is authorized and the contents of the QoS request being analyzed. Then the access point 54 in the second access network responds with a response message 57 with supported available QoS offerings information to the mobile host 1 which responds with a message 58 containing the required QoS allocation information. Then a procedure 59 is executed, in which the connections are established, QoS control and measurement information negotiated between the mobile host 1 and the access point 54 in the second access network. The mobile host 1 sends a message 90 to the external network with information about the new connection established over the second access network. In procedure 30 the connection is routed from the first access network to the second access network, and in procedure 91 the connection over the first access network is released. 」（第２６頁第１２行〜第２７頁第１８行）
「図１３は、一つのアクセスネットワークにおける既存の接続がサービスの質の低下のために別のアクセスネットワークに再構成される状況の概要を示す、メッセージシーケンスチャートである。シーケンスは、問題のメディアセッション３０が、第一アクセスネットワークのアクセスポイント５４を通して、外部ネットワーク３と移動ホスト１との間に確立された状況で開始される。接続のサービス中に行なわれたＱｏＳの測定は、８９で、運用者特定的なクレジット率を乗算した接続のクレジットが閾値より下に降下し、接続再ルーティング行動が呼び出されたことを示す。移動ホスト１はネットワークノード２からメッセージ４５により、本書で第二アクセスネットワークと呼ばれる利用可能なアクセスネットワークを有する最良のクレジット値の許可情報を要求し、次いでネットワークノード２は、第二アクセスネットワークのＱｏＳ契約値、および第二アクセスネットワークの許可情報を含むメッセージ４６を応答し、移動ホストは、第二アクセスネットワークの許可情報およびＱｏＳ要求情報を含むメッセージ５５を第二アクセスネットワークのアクセスポイント５４に送信し、第二アクセスネットワークはプロセス５６を実行し、そこでユーザは許可され、ＱｏＳ要求の内容が解析される。次いで第二アクセスネットワークのアクセスポイント５４は、応答メッセージ５７と共にサポートされる利用可能なＱｏＳオファリング情報を移動ホスト１に応答し、移動ホスト１は要求されたＱｏＳ割当情報を含むメッセージ５８で応答する。次いで手順５９が実行され、そこで接続が確立され、ＱｏＳ制御および測定情報が、移動ホスト１と第二アクセスネットワークのアクセスポイント５４との間で交渉される。移動ホスト１はメッセージ９０を第二アクセスネットワークにより確立された新しい接続に関する情報と共に、外部ネットワークに送信する。手順３０で、接続は第一アクセスネットワークから第二アクセスネットワークに経路選択され、手順９１で第一アクセスネットワークによる接続は解放される。」（段落【００３９】）
　
　ここで、上記記載について検討する。
　
　第１に、上記第２３頁第２９行〜第２７頁第１８行（特表２００７−５２８１７６号公報の段落【００３８】、【００３９】）の記載からみて、図１３では、ネットワークノード２は、第二アクセスネットワークのＱｏＳ契約値を含むメッセージ４６を応答し、移動ホストは、ＱｏＳ要求情報を含むメッセージ５５を第二アクセスネットワークのアクセスポイント５４に送信し、第二アクセスネットワークは、ＱｏＳ要求の内容を解析し、第二アクセスネットワークのアクセスポイント５４は、利用可能なＱｏＳオファリング情報を移動ホスト１に応答し、移動ホスト１は要求されたＱｏＳ割当情報を含むメッセージ５８で応答し、ＱｏＳ制御が、移動ホスト１と第二アクセスネットワークのアクセスポイント５４との間で交渉され、接続は第一アクセスネットワークから第二アクセスネットワークに経路選択され、第一アクセスネットワークによる接続は解放されるものである。
　すなわち、引用例１には、ＱｏＳ契約値、ＱｏＳ要求情報、ＱｏＳ要求の内容解析、利用可能なＱｏＳオファリング情報等のＱｏＳに関する情報のやりとりを行うこと、最終的にＱｏＳが割り当てられることから、第二アクセスネットワークに関連したＱｏＳに関する情報のやりとりを行い、ＱｏＳが割り当てられ、第一アクセスネットワークから第二アクセスネットワークに経路選択され、第一アクセスネットワークによる接続が解放されることが記載されており、言い換えると、移動ホストが、第一アクセスネットワークから第二アクセスネットワークに経路選択され、第一アクセスネットワークによる接続が解放される前に、第二アクセスネットワークに関連したＱｏＳに関する情報のやりとりを行うこと、ＱｏＳに関する情報のやりとりを行ってＱｏＳの割り当てが行われ、第二アクセスネットワークに経路選択されるものである。
　
　第２に、引用例１には、上記第１の一連の流れが記載されていることから、そのような流れの方法発明についても記載されているものであるし、方法発明であれば、流れをステップにより記載することも通常である。
　
　したがって、引用例１には、以下の発明（以下、「引用発明」という。）が記載されている。
　
「移動ホストが、第一アクセスネットワークから第二アクセスネットワークに経路選択され、第一アクセスネットワークによる接続が解放される前に、第二アクセスネットワークに関連したＱｏＳに関する情報のやりとりを行うステップと、
　前記第二アクセスネットワークに関連したＱｏＳに関する情報のやりとりを行って第二アクセスネットワークに関連したＱｏＳの割り当てが行われるステップと、を含む方法。」
　
（３）引用発明との対比
　本願補正発明と引用発明とを対比する。
　
（３．１）本願補正発明の「移動ノードが異種リンク間のハンドオーバー以前に接続することと予測されるリンクの特性に関する情報を獲得するステップ」について
　
（ア）引用発明の「移動ホスト」は、異なるアクセスネットワークに接続することが可能であり、移動するものであるから、本願補正発明の「移動ノード」に一致する。
　
（イ）引用発明のアクセスネットワークとして、引用例１の第２３頁第２９行〜第２６頁第１１行にて、７５　ＧＳＭ回線交換音声、７６　ＧＳＭ回線交換データ、７７　ＧＰＲＳ／ＥＤＧＥ、７８  ３Ｇ  ＷＣＤＭＡ（ＵＭＴＳ）、７９  ＩＥＥＥ８０２．１１ａ、ｂ、ｇまたはｎ、８０  ＩＥＥＥ８０２．１６、８１  ＩＥＥＥ８０２．２０、および８２  ＩＥＥＥ  ＵＷＢまたは有線アクセスなどが例示され、本願補正発明の「異種リンク」に関して、段落【０００２】には、「ＩＥＥＥ　８０２.１１、ＩＥＥＥ　８０２.１５、ＩＥＥＥ　８０２.１６基盤のＷＬＡＮ（Ｗｉｒｅｌｅｓｓ　Ｌｏｃａｌ　Ａｒｅａ　Ｎｅｔｗｏｒｋ）リンク、３ＧＰＰ（３ｒｄ　Ｇｅｎｅｒａｔｉｏｎ　Ｐａｒｔｎｅｒｓｈｉｐ　Ｐｒｏｊｅｃｔ）、３ＧＰＰ２基盤のセルラーリンクなどの多様なリンクをその例として挙げられる。これにより、多様なリンクに接続するための異種のリンクインターフェースの搭載された移動ノードが登場し、多様なリンク間のハンドオーバーを支援するためのＩＥＥＥ　８０２.２１が設立された。」と記載されていることを踏まえると、引用発明の第一アクセスネットワークと第二アクセスネットワークは、お互いに、本願補正発明のように「異種リンク」の関係である。
　
（ウ）引用発明は、移動ホストが、第一アクセスネットワークから第二アクセスネットワークに経路選択され、第一アクセスネットワークによる接続が解放される前に、第二アクセスネットワークに関連したＱｏＳに関する情報のやりとりを行うものであるが、「移動ホストが、第一アクセスネットワークから第二アクセスネットワークに経路選択され、第一アクセスネットワークによる接続が解放される前」というのは、第一アクセスネットワークから第二アクセスネットワークに経路選択され、第一アクセスネットワークによる接続が解放されてから、第二アクセスネットワークを利用した通信になることを考えると、第二アクセスネットワークに移動する前のことである。そして、本願補正発明においても、「移動ノードが異種リンク間のハンドオーバー以前」とは、別のリンクに移動する前のことを指すものである。そうすると、引用発明の「移動ホストが、第一アクセスネットワークから第二アクセスネットワークに経路選択され、第一アクセスネットワークによる接続が解放される前」とは、本願補正発明の「移動ノードが異種リンク間のハンドオーバー以前」と同じ時点を指し示すものである。
　
（エ）引用発明の「第二アクセスネットワーク」は、これから接続するネットワークのことであるから、本願補正発明の「接続することと予測されるリンク」に一致する。
　
（オ）引用発明で、第二アクセスネットワークに関連したＱｏＳに関する情報のやりとりを行うということは、第二アクセスネットワークに関連したＱｏＳに関する情報を獲得していることになり、本願補正発明では、「接続することと予測されるリンクの特性に関する情報を獲得する」ものであるので、「接続することと予測されるリンクの何らかの情報を獲得する」という点で、共通する。
　ただし、本願補正発明では、接続することと予測されるリンクの「特性」に関する情報を獲得するものであるのに対し、引用発明では、「ＱｏＳ」に関する情報である点で、相違する。
　
（カ）そうすると、本願補正発明の「移動ノードが異種リンク間のハンドオーバー以前に接続することと予測されるリンクの特性に関する情報を獲得するステップ」について、本願補正発明と引用発明は、
「移動ノードが異種リンク間のハンドオーバー以前に接続することと予測されるリンクの何らかの情報を獲得する」という点で、一致し、
　獲得する何らかの情報が、本願補正発明が、接続することと予測されるリンクの「特性に関する情報」であるのに対し、引用発明が、「ＱｏＳに関する情報」である点で相違する。
　
（３．２）本願補正発明の「前記接続することと予測されるリンクの特性に対応してデータストリームのＱＯＳ(Quality　Of　Service)を調整し、前記移動ノードに前記調整されたＱＯＳによって前記データストリームを伝送するステップ」について
　
（ア）引用発明では、第二アクセスネットワークに関連したＱｏＳに関する情報のやりとりを行って第二アクセスネットワークに関連したＱｏＳの割り当てが行われるものであり、前記２．（３）（３．１）（エ）で検討したように、引用発明の「第二アクセスネットワーク」は、本願補正発明の「接続することと予測されるリンク」に一致する。
　
（イ）引用発明の、「ＱｏＳの割り当てが行われる」ことは、接続することと予測されるリンクでのＱｏＳを決めることであるから、本願補正発明の「ＱＯＳ(Quality　Of　Service)を調整し」に一致する。
　
（ウ）前記第２．２．（３）（３．１）（オ）で検討したように、第二アクセスネットワークに関連したＱｏＳに関する情報のやりとりを行うということは、第二アクセスネットワークに関連したＱｏＳに関する情報を獲得していることになり、獲得したＱｏＳに関する情報に対応してＱＯＳ(Quality　Of　Service)を調整するものである。
　しかし、前記第２．２．（３）（３．１）（オ）で検討したように、引用発明が、第二アクセスネットワークに関連したＱｏＳに関する情報を獲得しているものであり、本願補正発明では、「接続することと予測されるリンクの特性に関する情報を獲得する」ものであるので、「接続することと予測されるリンクの何らかの情報」に対応してＱＯＳ(Quality　Of　Service)を調整するという点で共通するが、本願補正発明が、「前記接続することと予測されるリンクの特性に対応してＱＯＳ(Quality　Of　Service)を調整」するのに対し、引用発明が、第二アクセスネットワークに関連したＱｏＳに関する情報に対応して、ＱｏＳを調整するという点で相違する。
　
（エ）ＱｏＳを調整することについては、引用発明でも行われているものの、調整後のＱｏＳを何に利用するかについての特定がないため、データストリームのＱＯＳ(Quality　Of　Service)を調整し、前記移動ノードに前記調整されたＱＯＳによって前記データストリームを伝送するということについては、引用発明には、特定されていない。
　
（オ）そうすると、本願補正発明の「前記接続することと予測されるリンクの特性に対応してデータストリームのＱＯＳ(Quality　Of　Service)を調整し、前記移動ノードに前記調整されたＱＯＳによって前記データストリームを伝送するステップ」について、本願補正発明と引用発明は、
「前記接続することと予測されるリンクの何らかの情報に対応してＱＯＳ(Quality　Of　Service)を調整する」という点で、一致し、
　何らかの情報が、本願補正発明が、接続することと予測されるリンクの「特性」であるのに対し、引用発明が、「ＱｏＳに関する情報」である点、
　本願補正発明の調整されたＱＯＳは、データストリームのＱＯＳを調整したものであり、調整されたＱＯＳによってデータストリームを伝送するのに対し、引用発明は、第二アクセスネットワークに関連したＱＯＳを調整するものではあるが、データストリームのＱＯＳを調整し、調整されたＱＯＳによってデータストリームを伝送することについては、特定されていない点
で相違する。
　
（３．３）本願補正発明の「データストリームの伝送方法」について
　引用発明においても、方法発明が記載されているものではあるが、データストリームを伝送することについての特定がないため、データストリームの伝送方法については、引用発明には、特定されていない。
　
（３．４）相違点の整理
　以上のとおり、構成ごとに対比され、本願補正発明と引用発明とは、
　
「移動ノードが異種リンク間のハンドオーバー以前に接続することと予測されるリンクの何らかの情報を獲得するステップと、
　前記接続することと予測されるリンクの何らかの情報に対応してＱＯＳ(Quality　Of　Service)を調整するステップと、を含むことを特徴とする方法。」
　
という点で一致し、構成ごとの相違は、次の通りである。
　
（ア）獲得する何らかの情報が、
　本願補正発明では、接続することと予測されるリンクの「特性」に関する情報」であるのに対し、
　引用発明では、接続することと予測されるリンクの「ＱｏＳ」に関する情報である点。
　
（イ）ＱＯＳの調整に際して、
　本願補正発明では、接続することと予測されるリンクの「特性に対応して」調整するものであるのに対し、
　引用発明では、接続することと予測されるリンクの「ＱｏＳに関する情報に対応して」調整するものである点。
　
（ウ）ＱＯＳに関して、
　本願補正発明では、「データストリームのＱＯＳを調整し、前記移動ノードに前記調整されたＱＯＳによってデータストリームを伝送する」のに対し、
　引用発明では、第二アクセスネットワークに関連したＱＯＳを調整するものではあるが、データストリームのＱＯＳを調整し、調整されたＱＯＳによってデータストリームを伝送することについては、特定されていない点。
　
（エ）本願補正発明が、「データストリームの伝送方法」であるのに対し、
　引用発明は、方法発明ではあるが、データストリームを伝送することについての特定がないため、データストリームの伝送方法については、引用発明には、特定がない点。
　
　ここで、構成における相違とした（ア）、（イ）は、技術的に次のように整理される。
　
　ＱＯＳを調整するために、何らかの情報を獲得し、その獲得された何らかの情報に対応してＱＯＳを調整する際に、
　本願補正発明では、接続することと予測されるリンクの特性に関する情報を獲得し、接続することと予測されるリンクの特性に対応して調整するのに対し、
　引用発明では、接続することと予測されるリンクのＱｏＳに関する情報を獲得し、接続することと予測されるリンクのＱｏＳに関する情報に対応して調整する点。
　
（４）一致点、相違点
　前記「第２．２．（３）引用発明との対比」で述べたことをまとめると、本願補正発明と引用発明は、
　
［一致点］
「移動ノードが異種リンク間のハンドオーバー以前に接続することと予測されるリンクの何らかの情報を獲得するステップと、
　前記接続することと予測されるリンクの何らかの情報に対応してＱＯＳ(Quality　Of　Service)を調整するステップと、を含むことを特徴とする方法。」
という点で一致し、
　
［相違点］
（ア）ＱＯＳを調整するために、何らかの情報を獲得し、獲得された何らかの情報に対応してＱＯＳを調整する際に、本願補正発明では、接続することと予測されるリンクの特性に関する情報を獲得し、接続することと予測されるリンクの特性に対応して調整するのに対し、引用発明では、接続することと予測されるリンクのＱｏＳに関する情報を獲得し、接続することと予測されるリンクのＱｏＳに関する情報に対応して調整する点。
　
（イ）本願補正発明の方法のＱＯＳに関して、「データストリームのＱＯＳを調整し、前記移動ノードに前記調整されたＱＯＳによってデータストリームを伝送する」のに対し、引用発明は、第二アクセスネットワークに関連したＱＯＳを調整するものではあるが、データストリームのＱＯＳを調整し、調整されたＱＯＳによってデータストリームを伝送することについては、特定されていない点。
　
（ウ）本願補正発明の方法が、「データストリームの伝送方法」であるのに対し、引用発明は、方法発明ではあるが、データストリームを伝送することについての特定がないため、データストリームの伝送方法については、引用発明には、特定がない点。
　
という点で、相違する。
　
（５）判断
　
　相違点（ア）について
　引用例１の第１３頁第２６行〜第３１行には、「サービスの質はデータスループット、遅延、ジッタ、パケット誤り率、およびパケット損失率として測定される。接続に対するサービスの質要件はこれらの部分集合であり、接続のサービス優先度クラスが追加される。」と記載され、データスループット、遅延、ジッタ、パケット誤り率、およびパケット損失率が、ネットワークの特性すなわちリンク特性の一種であることを考えると、ＱＯＳは、リンク特性と関連した値である。
　したがって、ＱＯＳの調整に際して、ＱＯＳに関する情報に対応して調整することに代えて、リンクの特性に関する情報に対応して調整することは、容易に考え得ることであり、その場合に、獲得する情報を，ＱＯＳに関する情報でなく、リンクの特性に関する情報とすることは当然のことである。
　
　相違点（イ）について
　引用発明では、ＱＯＳを調整して、第二アクセスネットワークに経路選択されるものであり、その後、第二アクセスネットワークにてデータストリームを伝送すると考えるのが自然である。そして、ＱＯＳが、データスループット、遅延、ジッタ、パケット誤り率、およびパケット損失率と関連する値であり、これらが、データストリームに関する値である以上、ＱＯＳも、データストリームに関連する値であり、ＱＯＳを調整するということが、データストリームのＱＯＳを調整することであり、その後、調整されたＱＯＳにてデータストリームを伝送することと考えることは容易に考え得るものである。
　
　相違点（ウ）について
　相違点（イ）についてで検討したように、引用発明においても、データストリームを伝送するものである以上、データストリームの伝送方法とすることに格別のものはない。
　
　また、本願補正発明の効果は、引用発明から当業者が容易に予測し得るものであり、格別顕著なものがあるとは認められない。
　
　以上の通り、本願補正発明は、引用発明及び周知技術に基づいて、当業者が容易に発明をすることができたものであり、特許法第２９条第２項の規定により特許出願の際独立して特許を受けることができないものである。
　
　よって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　よって、補正の却下の決定の結論のとおり、決定する。
　
第３．本願発明について
　
１．本願発明
　上記のとおり、平成２４年１０月１２日付の手続補正は却下した。
　したがって、本件出願の請求項１ないし２９に係る発明は、平成２４年１月１１日付、平成２４年５月１４日付手続補正書で補正された明細書、特許請求の範囲および図面の記載からみて、平成２４年５月１４日付手続補正書で補正された特許請求の範囲の請求項１ないし２９に記載されたとおりのものであり、そのうち、請求項１に係る発明（以下、これを「本願発明」という。」は、次のとおりである。
　
［本願発明］（請求項１に係る発明）
「（ａ）移動ノードが異種リンク間のハンドオーバーを施す時にリンク特性変化に関する情報を獲得するステップと、
　（ｂ）前記リンク特性変化に対応してデータストリームのＱＯＳ(Quality Of Service)を調整し、前記移動ノードに前記調整されたＱＯＳによって前記データストリームを伝送するステップと、を含むことを特徴とするデータストリームの伝送方法。」
　
２．刊行物の記載事項
　原査定の拒絶の理由で引用された刊行物、その記載事項、および引用発明は、前記第２．２．（２）に記載したとおりである。
　
３．対比
　本願発明と引用発明とは、前記第２．２．（３）と同様に対比されるが、本願補正発明と本願発明との違いを踏まえて、本願発明と引用発明との対比について、検討する。
（１）本願発明の「移動ノードが異種リンク間のハンドオーバーを施す時にリンク特性変化に関する情報を獲得するステップ」について
　
（ア）前記第２．２．（３）（３．１）（ア）については、本願発明と引用発明との対比でも同様である。
　
（イ）前記第２．２．（３）（３．１）（イ）については、本願発明と引用発明との対比でも同様である。
　
（ウ）前記第２．２．にて検討したように、本願発明の「ハンドオーバーを施す時」は、ハンドオーバー以前とハンドオーバー以後を包含するものであるから、引用発明の「移動ホストが、第一アクセスネットワークから第二アクセスネットワークに経路選択され、第一アクセスネットワークによる接続が解放される前」とは、本願発明の「移動ノードが異種リンク間のハンドオーバーを施す時」と同じ時点を指し示すものである。
　
（エ）引用発明で、第二アクセスネットワークに関連したＱｏＳに関する情報のやりとりを行うということは、第二アクセスネットワークに関連したＱｏＳに関する情報を獲得していることになり、本願発明では、「リンク特性変化に関する情報を獲得する」ものであるので、「リンクの何らかの情報を獲得する」という点で、共通する。
　ただし、本願発明では、「リンク特性変化に関する情報」を獲得するものであるのに対し、引用発明では、第二アクセスネットワークに関連したＱｏＳに関する情報である点で、相違する。
　
（オ）そうすると、本願発明の「移動ノードが異種リンク間のハンドオーバーを施す時にリンク特性変化に関する情報を獲得するステップ」について、本願発明と引用発明は、
「移動ノードが異種リンク間のハンドオーバーを施す時にリンクの何らかの情報を獲得する」という点で、一致し、
　獲得する何らかの情報が、本願発明が、「リンク特性変化に関する情報」であるのに対し、引用発明が、「第二アクセスネットワークに関連したＱｏＳに関する情報」である点で相違する。
　
（２）本願発明の「前記リンク特性変化に対応してデータストリームのＱＯＳ(Quality　Of　Service)を調整し、前記移動ノードに前記調整されたＱＯＳによって前記データストリームを伝送するステップ」について
　
（ア）引用発明の、「ＱｏＳの割り当てが行われる」ことは、リンクのＱｏＳを決めることであるから、本願発明の「ＱＯＳ(Quality　Of　Service)を調整し」に一致する。
　
（イ）前記第３．３．（１）で検討したように、引用発明において、第二アクセスネットワークに関連したＱｏＳに関する情報のやりとりを行うということは、第二アクセスネットワークに関連したＱｏＳに関する情報を獲得していることになり、獲得したＱｏＳに関する情報に対応してＱＯＳ(Quality　Of　Service)を調整するものである。
　しかし、前記第３．３．（１）で検討したように、引用発明が、第二アクセスネットワークに関連したＱｏＳに関する情報を獲得しているものであり、本願発明では、「リンク特性変化に関する情報を獲得する」ものであるので、「リンクの何らかの情報」に対応してＱＯＳ(Quality　Of　Service)を調整するという点で共通するが、本願発明が、「リンク特性変化に対応してＱＯＳ(Quality　Of　Service)を調整」するのに対し、引用発明が、第二アクセスネットワークに関連したＱｏＳに関する情報に対応して、ＱｏＳを調整するという点で相違する。
　
（ウ）前記第２．２．（３）（３．２）（エ）については、本願発明と引用発明との対比でも同様である。
　
（エ）そうすると、本願発明の「前記リンク特性変化に対応してデータストリームのＱＯＳ(Quality　Of　Service)を調整し、前記移動ノードに前記調整されたＱＯＳによって前記データストリームを伝送するステップ」について、本願発明と引用発明は、
「前記リンクの何らかの情報に対応してＱＯＳ(Quality　Of　Service)を調整する」という点で、一致し、
　何らかの情報が、本願発明が、「リンク特性変化」であるのに対し、引用発明が、「ＱｏＳに関する情報」である点、
　本願発明の調整されたＱＯＳは、データストリームのＱＯＳを調整したものであり、調整されたＱＯＳによってデータストリームを伝送するのに対し、引用発明は、第二アクセスネットワークに関連したＱＯＳを調整するものではあるが、データストリームのＱＯＳを調整し、調整されたＱＯＳによってデータストリームを伝送することについては、特定されていない点
で相違する。
　
（３）本願発明の「データストリームの伝送方法」について
　前記第２．２．（３）（３．３）については、本願発明と引用発明との対比でも同様である。
　
（４）相違点の整理
　以上のとおり、構成ごとに対比され、本願発明と引用発明とは、
　
「移動ノードが異種リンク間のハンドオーバーを施す時にリンクの何らかの情報を獲得するステップと、
　前記リンクの何らかの情報に対応してＱＯＳ(Quality　Of　Service)を調整するステップと、を含むことを特徴とする方法。」
　
という点で一致し、構成ごとの相違は、次の通りである。
　
（ア）獲得する何らかの情報が、
　本願発明では、「リンク特性変化に関する情報」であるのに対し、
　引用発明では、「第二アクセスネットワークに関連したＱｏＳに関する情報」である点。
　
（イ）ＱＯＳの調整に際して、
　本願発明では、「リンク特性変化に対応して」調整するものであるのに対し、
　引用発明では、「第二アクセスネットワークに関連したＱｏＳに関する情報に対応して」調整するものである点。
　
（ウ）ＱＯＳに関して、
　本願発明では、「データストリームのＱＯＳを調整し、前記移動ノードに前記調整されたＱＯＳによってデータストリームを伝送する」のに対し、
　引用発明では、第二アクセスネットワークに関連したＱＯＳを調整するものではあるが、データストリームのＱＯＳを調整し、調整されたＱＯＳによってデータストリームを伝送することについては、特定されていない点。
　
（エ）本願発明が、「データストリームの伝送方法」であるのに対し、
　引用発明は、方法発明ではあるが、データストリームを伝送することについての特定がないため、データストリームの伝送方法については、引用発明には、特定がない点。
　
　ここで、構成における相違とした（ア）、（イ）は、技術的に次のように整理される。
　
　ＱＯＳを調整するために、何らかの情報を獲得し、その獲得された何らかの情報に対応してＱＯＳを調整する際に、
　本願発明では、リンク特性変化に関する情報を獲得し、リンク特性変化に対応して調整するのに対し、
　引用発明では、第二アクセスネットワークに関連したＱｏＳに関する情報を獲得し、第二アクセスネットワークに関連したＱｏＳに関する情報に対応して調整する点。
　
４．一致点、相違点
　そうすると、本願発明と引用発明との一致点、相違点は次のとおりであると認められる。
　
［一致点］
「移動ノードが異種リンク間のハンドオーバーを施す時にリンクの何らかの情報を獲得するステップと、
　前記リンクの何らかの情報に対応してＱＯＳ(Quality　Of　Service)を調整するステップと、を含むことを特徴とする方法。」
　
という点で一致し、
　
［相違点］
（ア）ＱＯＳを調整するために、何らかの情報を獲得し、獲得された何らかの情報に対応してＱＯＳを調整する際に、本願発明では、リンク特性変化に関する情報を獲得し、リンク特性変化に対応して調整するのに対し、引用発明では、第二アクセスネットワークに関連したＱｏＳに関する情報を獲得し、第二アクセスネットワークに関連したＱｏＳに関する情報に対応して調整する点。
　
（イ）本願発明の方法のＱＯＳに関して、「データストリームのＱＯＳを調整し、前記移動ノードに前記調整されたＱＯＳによってデータストリームを伝送する」のに対し、引用発明は、第二アクセスネットワークに関連したＱＯＳを調整するものではあるが、データストリームのＱＯＳを調整し、調整されたＱＯＳによってデータストリームを伝送することについては、特定されていない点。
　
（ウ）本願発明の方法が、「データストリームの伝送方法」であるのに対し、引用発明は、方法発明ではあるが、データストリームを伝送することについての特定がないため、データストリームの伝送方法については、引用発明には、特定がない点。
　
という点で、相違する。
　
５．判断
　
　相違点（ア）について
　上記第２．２．にて検討したように、リンク特性変化に関する情報とは、ハンドオーバー以後の時点での接続中であるリンクの特性に関する情報と、ハンドオーバー以前での接続すると予測されるリンクの特性に関する情報を含むものであるから、上記第２．２．（５）相違点（ア）についてで検討したように、ＱＯＳの調整に際して、ＱＯＳに関する情報に対応して調整することに代えて、リンクの特性に関する情報に対応して調整することは、容易に考え得ることであり、その場合に、獲得する情報を、ＱＯＳに関する情報でなく、リンクの特性に関する情報を獲得することは当然のことである以上、ＱＯＳの調整に際して、ＱＯＳに関する情報に対応して調整することに代えて、リンク特性変化に関する情報に対応して調整することは、容易に考え得ることであり、その場合に、獲得する情報を、ＱＯＳに関する情報でなく、リンク特性変化に関する情報とすることも当然のことである。
　
　相違点（イ）（ウ）について
　上記第２．２．（５）相違点（イ）について、および、相違点（ウ）についてと同様である。
　したがって、本願発明は、引用例１に記載された発明に基づいて当業者が容易に発明をすることができたものである。
　
第４　まとめ
　以上のように、本願の請求項１に係る発明は、引用例１に記載された発明に基づいて当業者が容易に発明をすることができたものであるから、特許法第２９条第２項の規定により特許を受けることができない。
　したがって、残る請求項２〜２９に係る発明について検討するまでもなく、本件出願は拒絶をすべきものである。
　よって、結論のとおり審決する。